(57)【特許請求の範囲】
【請求項１】
データをデータキャリヤから読み／書きステーションに無接触送信する方法であって、
前記読み／書きステーションがキャリヤ信号を発生し、前記発生したキャリヤ信号が、前記読み／書きステーションの無接触動作式送信機手段に入力され；
無接触式で前記読み／書きステーションの前記送信機手段にカップリングされている前記データキャリヤの無接触動作式送信機手段によって、前記キャリヤ信号が、前記データキャリヤ内で得られ、
前記キャリヤ信号の負荷変調が、前記データキャリヤから前記読み／書きステーションへのデータブロックの送信のための送信モードで、１つの補助キャリヤ信号によって実行され；
前記１つの補助キャリヤ信号によって負荷変調された前記キャリヤ信号が、前記送信されたデータブロックを得るために、前記読み／書きステーション内の復調手段によって復調され；
前記復調手段を通過した後の信号経路内で妨害が発生したか否か判断するために、前記読み／書きステーション内で試験を実行し；
妨害が検出されたら、制御情報を発生する方法において、
少なくとも１つの送信モードデータブロックを、前記制御信号として発生し；
前記送信モードデータブロックが前記データキャリヤに送信され；
前記送信された送信モードデータブロックが前記データキャリヤ内で評価され；
前記送信済み送信モードデータブロックの評価に合わせて、前記データキャリヤが他の送信モードになるように制御され、前記他の送信モードにおいては、前記データキャリヤから前記読み／書きステーションにデータブロックを送信するために、前記キャリヤ信号の負荷変調が、少なくとも１つの他の補助キャリヤ信号によって実行され、前記少なくとも１つの他の補助キャリヤ信号の少なくとも１つの周波数と前記１つの補助キャリヤ信号の周波数とが別々の値を有することを特徴とする方法。
【請求項２】
前記送信済みの送信モードデータブロックの評価に合わせて、前記データキャリヤを制御して他の送信モードとし、前記データキャリヤから前記読み／書きステーションにデータブロックを送信するために、前記キャリヤ信号の負荷変調が、前記他の補助キャリヤ信号だけによって実行されることを特徴とする請求の範囲第１項記載の方法。
【請求項３】
前記送信済みの送信モードデータブロックの評価に合わせて、前記データキャリヤを制御して他の送信モードとし、前記データキャリヤから前記読み／書きステーションにデータブロックを送信するために、前記キャリヤ信号の負荷変調が、前記１つの補助キャリヤ信号と前記他の補助キャリヤ信号とによって実行されることを特徴とする請求の範囲第１項記載の方法。
【請求項４】
前記復調手段を通過した後の信号経路内で妨害が発生したか否かの試験において、前記妨害が前記１つの補助キャリヤ信号による前記キャリヤ信号の負荷変調の際に発生したエラーのためであるか否かを決定する試験を実行し；
前記試験の結果が肯定的である場合、前記試験の結果に関連する送信モードデータブロックが発生され、前記データキャリヤに送信されて、前記データキャリヤ内で評価されることを特徴とする請求の範囲第１項記載の方法。
【請求項５】
前記復調手段を通過した後の信号経路内で妨害が発生したか否かの試験において、前記キャリヤ信号の負荷変調が、前記データキャリヤ内で前記１つの補助キャリヤ信号によって実行されていない送信停止中に、有用な信号を模倣する妨害信号が前記復調手段を通過した後に存在するか否かを決定する試験を実行し；
前記試験の結果が肯定である場合、前記試験の結果と関連する送信モードデータブロックが発生され、前記データキャリヤに送信されて、前記データキャリヤ内で評価されることを特徴とする請求の範囲第１項記載の方法。
【請求項６】
データキャリヤからデータを無接触受信する読み／書きステーションであって、この読み／書きステーションが：
キャリヤ信号を発生するキャリヤ信号発生手段と；
前記キャリヤ信号が供給され、且つ、無接触式で前記データキャリヤの無接触動作式送信機手段にカップリングされて、前記データキャリヤの前記送信機手段によって前記データキャリヤ内でキャリヤ信号が得られるようにする無接触動作式送信機手段であって、前記データキャリヤから前記読み／書きステーションへのデータブロックの送信のための送信モードで、１つの補助キャリヤ信号によって、前記キャリヤ信号の負荷変調を実行することが可能な、無接触動作式送信機手段と；
前記１つの補助キャリヤ信号によって負荷変調された前記キャリヤ信号を復調する復調手段であって、前記データキャリヤから前記読み／書きステーションに送信されたデータブロックを出力する、復調手段と；
前記復調手段を通過した後の信号経路内で妨害が発生したか否か試験し、妨害検出結果に基づいて制御情報を発生する試験手段とを備え；
前記試験手段が、少なくとも１つの送信モードデータブロックを前記制御情報として発生するように配列され、これによって前記データキャリヤ内で、前記キャリヤ信号の負荷変調を少なくとも１つの他の補助キャリヤ信号によって実行して前記データキャリヤから前記読み／書きステーションにデータブロックを送信することが可能な別の送信モードを起動することができ、且つ前記少なくとも１つの他の補助キャリヤ信号の少なくとも１つの周波数と、前記１つの補助キャリヤ信号の周波数とが別々の値を有することを特徴とする読み／書きステーション。
【請求項７】
前記試験手段が少なくとも１つの送信モードデータブロックを発生するように配列され、これによって前記データキャリヤ内において、前記キャリヤ信号の負荷変調を前記他の補助キャリヤ信号だけで実行して、前記データキャリヤから前記読み／書きステーションにデータブロックを送信することができる他の送信モードを起動することが可能であることを特徴とする請求の範囲第６項記載の読み／書きステーション。
【請求項８】
前記試験手段が少なくとも１つの送信モードデータブロックを発生するように配列され、これによって前記データキャリヤ内において、前記キャリヤ信号の負荷変調が、前記１つの補助キャリヤ信号と前記他の補助キャリヤ信号とによって実行されて、前記データキャリヤから前記読み／書きステーションにデータブロックを送信することができる他の送信モードを起動することが可能であることを特徴とする請求の範囲第６項記載の読み／書きステーション。
【請求項９】
前記妨害が前記１つの補助キャリヤ信号による前記キャリヤ信号の負荷変調の間に発生したエラーによるものであるか否かを試験するように、前記試験手段が配列され；
前記試験の結果が肯定的である場合、前記試験の結果に関連する送信モードデータブロックを発生するように、前記試験手段が配列されていることを特徴とする請求の範囲第６項記載の読み／書きステーション。
【請求項１０】
前記キャリヤ信号の負荷変調が前記データキャリヤ内で前記１つの補助キャリヤ信号によって実行されていない送信停止中に、有用な信号を模倣した妨害信号が前記復調手段を通過した後に存在するか否かの試験を実行するように、前記試験手段が配列され；
前記試験の結果が肯定的である場合、前記試験結果と関連する送信モードデータブロックを発生するように、前記試験手段が配列されていることを特徴とする請求の範囲第６項記載の読み／書きステーション。
【請求項１１】
データを読み／書きステーションに出力するデータキャリヤであって、このデータキャリヤが、
前記読み／書きステーションの無接触動作式送信機手段にカップリング可能な無接触動作式送信機手段であって、前記読み／書きステーション内で発生したキャリヤ信号を、カップリング状態にある前記データキャリヤ内で得ることができる、無接触動作式送信機手段と；
負荷変調手段と、
を備え、これによって、
前記キャリヤ信号は、前記データキャリヤから前記読み／書きステーションにデータブロックを送信するための送信モードで、１つの補助キャリヤ信号によって負荷変調可能であるとともに、
前記データキャリヤは、前記読み／書きステーションによって前記データキャリヤに送信された送信モードデータブロックを評価する評価手段を含み、且つ少なくとも１つの他の補助キャリヤ信号による前記キャリヤ信号の負荷変調を実行して、データブロックを前記データキャリヤから前記読み／出しステーションに送信することができる他の送信モードになるように前記データキャリヤを制御することができ；
前記データキャリヤは、前記評価手段によって影響されることが可能な制御手段を含み、これによって前記データキャリヤは、評価された送信モードデータブロックに合わせて他の送信モードになるように制御され、このモードでは、データブロックを前記データキャリヤから前記読み／書きステーションに送信するために、前記キャリヤ信号の負荷変調を少なくとも１つの他の補助キャリヤ信号によって実行することが可能であり、前記少なくとも１つの他の補助キャリヤ信号の少なくとも１つの周波数と前記１つの補助キャリヤ信号の周波数が別々の値を有することを特徴とするデータキャリヤ。
【請求項１２】
前記データキャリヤが評価手段を含み、これによって、前記読み／書きステーションによって前記データキャリヤに送信された送信モードデータブロックを評価することが可能であり、前記送信モードデータブロックは、データブロックを前記データキャリヤから前記読み／書きステーションに送信するために、前記キャリヤ信号の負荷変調を前記他の補助キャリヤ信号だけで実行可能である他の送信モードになるように前記データキャリヤを制御することが可能であり；
前記データキャリヤが、前記評価手段によって影響されることが可能な制御手段を含み、これによって、評価された送信モードデータブロックに合わせて、前記データキャリヤを別の送信モードになるように制御することが可能であり、このモードでは、前記データキャリヤから前記読み／書きステーションにデータブロックを送信するために、前記キャリヤ信号の負荷変調が、前記他の補助キャリヤ信号だけで実行することが可能であることを特徴とする請求の範囲第１１項記載のデータキャリヤ。
【請求項１３】
前記データキャリヤが評価手段を含み、これによって、前記読み／書きステーションにより前記データキャリヤに送信された送信モードデータブロックは、評価されることが可能であり、且つ前記データキャリヤを他の送信モードになるように制御することが可能であり、このモードでは、データブロックを前記データキャリヤから前記読み／書きステーションに送信するために、前記キャリヤ信号の負荷変調が、前記１つの補助キャリヤ信号と前記他の補助キャリヤ信号によって実行することが可能であり；
前記データキャリヤが、前記評価手段によって影響されることができる制御手段を含み、これによって評価済みの送信モードデータブロックに合わせて、前記データキャリヤを他の送信モードになるように制御することが可能であり、このモードにおいては、データブロックを前記データキャリヤから前記読み／書きステーションに送信するために、前記キャリヤ信号の負荷変調が、前記１つの補助キャリヤ信号と前記他の補助キャリヤ信号とによって実行可能であることを特徴とする請求の範囲第１１項記載のデータキャリヤ。
【請求項１４】
前記読み／書きステーション内で復調手段を通過した後の信号経路内のにおいて、前記１つの補助キャリヤ信号による前記キャリヤ信号の負荷変調中に発生したエラーに基づいて妨害が検出された場合、前記読み／書きステーションによって前記データキャリヤに送信することが可能な送信モードデータブロックを評価するように、前記評価手段が配列されており；
前記送信モードデータブロックの評価に合わせて前記データキャリヤが他の送信モードになるように制御することが可能であることを特徴とする請求の範囲第１１項記載のデータキャリヤ。
【請求項１５】
前記キャリヤ信号の負荷変調が前記データキャリヤ内の前記１つの補助キャリヤ信号によって実行されないような送信停止中に、有用な信号を模倣した妨害信号を前記読み／書きステーションで検出することが可能である場合、前記読み／書きステーションによって前記データキャリヤに送信可能な送信モードデータブロックを評価するように、前記評価手段が配列されており；
前記送信モードデータブロックの評価に合わせて前記データキャリヤが他の送信モードになるように制御可能であることを特徴とする請求の範囲第１１項記載のデータキャリヤ。
【請求項１６】
読み／書きステーションにデータを無接触出力するデータキャリヤの集積回路であって、この集積回路が：
前記読み／書きステーションの無接触動作式送信機手段にカップリングすることが可能な無接触動作式送信機手段を接続する接続手段であって、前記読み／書きステーション内で発生したキャリヤ信号を前記回路で得ることが可能な、接続手段；
前記回路から前記読み／書きステーションにデータブロックを送信する送信モード中で１つの補助キャリヤ信号によって、前記キャリヤ信号を負荷変調することを可能とする負荷変調手段とを備え、
前記回路が、前記読み／書きステーションによって前記回路に送信されて、前記回路を別の送信モードになるように制御することが可能な送信モードデータブロックを評価する評価手段を含み、前記別の送信モードにおいては、前記キャリヤ信号の負荷変調を少なくとも１つの他の補助キャリヤ信号によって実行してデータブロックを前記回路から前記読み／書きステーションに送信でき；
前記回路が、前記評価手段によって影響されることが可能な制御手段を含み、これによって、評価された送信モードデータブロックに合わせて、前記回路を別の送信モードになるように制御することが可能であり、このモードにおいては、データブロックを前記回路から前記読み／書きステーションに送信するために、前記キャリヤ信号の負荷変調を、少なくとも１つの他の補助キャリヤ信号によって実行することが可能であり、前記少なくとも１つの他の補助キャリヤ信号の少なくとも１つの周波数と前記１つの補助キャリヤ信号の周波数とが別々の値を有することを特徴とする集積回路。
【請求項１７】
前記回路が評価手段を含み、これによって、前記読み／書きステーションによって前記回路に送信された送信モードのデータブロックを評価することが可能であり、この送信モードでは、データブロックが前記回路を他の送信モードになるように制御することが可能であり、この他の送信モードでは、データブロックを前記回路から前記読み／書きステーションに送信するために、前記キャリヤ信号の負荷変調が、前記他の補助キャリヤ信号だけで実行することが可能であり；
前記回路が、前記評価手段によって影響されることが可能な制御手段を含み、これによって、評価された送信モードデータブロックに合わせて、前記回路を他の送信モードになるように制御することが可能であり、この他の送信モードにおいては、データブロックを前記回路から前記読み／書きステーションに送信するために、前記キャリヤ信号の負荷変調を前記他の補助キャリヤ信号だけで実行することが可能であることを特徴とする請求の範囲第１６項記載の集積回路。
【請求項１８】
前記回路が評価手段を含み、これによって、前記読み／書きステーションにより前記回路に送信された送信モードデータブロックが評価され、且つ前記回路を制御して他の送信モードにすることが可能であり、この他の送信モードにおいて、データブロックを前記回路から前記読み／書きステーションに送信するために、前記キャリヤ信号の負荷変調が、前記１つの補助キャリヤ信号と前記他の補助キャリヤ信号とによって実行可能であり；
前記回路が前記評価手段によって影響されることが可能であり、これによって、評価された送信モードデータブロックに合わせて、前記回路を他の送信モードになるように制御することが可能であり、この他の送信モードでは、データブロックを前記回路から前記読み／書きステーションに送信するために、前記キャリヤ信号の負荷変調が、前記１つの補助キャリヤ信号と前記他の補助キャリヤ信号とによって実行可能であることを特徴とする請求の範囲第１６項記載の集積回路。
【請求項１９】
前記読み／書きステーション内で復調手段を通過した後の信号経路内で、前記補助キャリヤ信号による前記キャリヤ信号の負荷変調中に発生したエラーに基づいて、妨害を検出することが可能である場合に、前記読み／書きステーションによって前記回路に送信することが可能な送信モードデータブロックを評価するように、前記評価手段が配列されており；
前記回路を、前記送信モードデータブロックの評価に合わせて、別の送信モードになるように制御することが可能であることを特徴とする請求の範囲第１６項記載の集積回路。
【請求項２０】
前記回路内の前記１つの補助キャリヤ信号によって前記キャリヤ信号の負荷変調が実行されない送信停止時に、有用な信号を模倣した妨害信号を前記読み／書きステーションで検出することが可能である場合、前記読み／書きステーションによって前記回路に送信することが可能な送信モードデータブロックを評価するように、前記評価手段が配列されており；
前記送信モードデータブロックの評価に合わせて、前記回路を他の送信モードになるように制御することが可能であることを特徴とする請求の範囲第１６項記載の集積回路。
【発明の詳細な説明】
【０００１】
【発明の属する技術分野】
本発明はデータキャリヤから得たデータを読み／書きステーションに無接触送信する方法に関し、この場合、この読み／書きステーションはキャリヤ信号を発生し、この発生したキャリヤ信号は読み／書きステーションの無接触動作式送信手段に印加され、キャリヤ信号が、無接触式に読み／書きステーションの送信手段にカップリングされているデータキャリヤの無接触動作式送信手段によってデータキャリヤ中で得られ、キャリヤ信号の負荷変調が、データキャリヤから読み／書きステーションへのデータブロックの送信のための送信モードにおける１つの補助キャリヤ信号によって実行され、この１つの補助キャリヤ信号によって負荷変調されたキャリヤ信号が読み／書きステーション中の復調手段によって復調されて、送信されたデータブロックを得て、読み／書きステーション中で試験を実行して、復調手段を越えた信号経路内で妨害が発生するか否か判断し、妨害が検出された時に制御情報が発生される。
【０００２】
本発明はまた、データキャリヤからデータを無接触受信する読み／書きステーションに関するが、このステーションは、キャリヤ信号を発生するキャリヤ信号発生手段と、キャリヤ信号を供給されることができる無接触動作式送信機と、を含み、これによって、データキャリヤから読み／書きステーションにデータブロックを送信するための送信モードで１つの補助キャリヤ信号によってキャリヤ信号を負荷変調することができる、データキャリヤの送信手段によってデータキャリヤ中でキャリヤ信号が得られるように、無接触式にデータキャリヤの無接触動作式送信機にカップリングすることができ、また、この１つの補助キャリヤ信号によって変調されたキャリヤ信号を復調する復調手段であり、この復調手段はデータキャリヤから読み／書きステーションに送信されたデータブロックを出力できる復調手段を含み、さらにまた、この復調手段を越えたところの信号経路で妨害が発生したか検査して、妨害が検出されたら制御情報を発生するように配置された試験手段を含む。
【０００３】
本発明はまた、データを読み／書きステーションに無接触出力するデータキャリヤに関するが、このデータキャリヤは：読み／書きステーションの無接触動作式送信手段にカップリングすることが可能な無接触動作式送信手段であり、読み／書きステーション中で発生されたキャリヤ信号をカップリング状態にあるデータキャリヤ中で得ることが可能である無接触動作式送信手段と；データキャリヤから読み／書きステーションにデータを送信するための送信モードで１つの補助キャリヤ信号によってキャリヤ信号を負荷変調することを可能とする負荷変調手段と；を含んでいる。
【０００４】
本発明はまた、データを読み／書きステーションに無接触出力するためのデータキャリヤ用の集積回路に関するが、この回路は：読み／書きステーションの無接触動作式送信手段にカップリングすることができる無接触動作式送信手段接続用の接続手段と；この回路から読み／書きステーションにデータブロックを送信するために送信モードで１つの補助キャリヤ信号によってキャリヤ信号を負荷変調することを可能とする負荷変調手段と；を含んでいる。
【０００５】
【従来の技術】
本発明の文脈において、さまざまな様態で実現され、また、本出願者によって、それが周知なものであると市場に出されているデータキャリヤシステムが引用される。この周知のデータキャリヤシステムに加えて、その公告をここに参照して組み込む、米国特許第５，３４５，２３１号（ＵＳ５，３４５，２３１、Ａ）が引用される。この周知のデータキャリヤシステムにおいては、読み／書きステーションで発生され、データキャリヤ中で誘導的に得られるキャリヤ信号は、補助キャリヤ信号による負荷変調を受け、これによって、ディジタルデータ、すなわちデータブロックをデータキャリヤから読み／書きステーションに送信され；これで補助キャリヤ信号は４２３．７５ｋＨｚという補助キャリヤ周波数ｆ１と、整数で与えられる、この補助キャリヤ周波数ｆ１対キャリヤ信号のキャリヤ周波数ｆ０の比と、を有する。すると、例えば「０」ビットは、第１のビットハーフ間での補助キャリヤ信号によるキャリヤ信号の負荷変調と第２のビットハーフ間でのキャリヤ信号の負荷変調の省略とによって、データキャリヤから読み／書きステーションに送信され、一方、「１」ビットは、第１のビットハーフ間でのキャリヤ信号の負荷変調の省略と第２のビットハーフ間での補助キャリヤ信号によるキャリヤ信号の負荷変調とによってデータキャリヤから読み／書きステーションに送信される。データキャリヤから読み／書きステーションへのデータ送信の実行中に少なくとも１つでも妨害、したがって例えばデータ送信のエラーが発生すると、このような妨害は、読み／書きステーション中に含まれ、例えば論理回路やマイクロコンピュータやＣＲＣ段（交差冗長チェック段：Cross Redundancy Check stage）などによって形成される試験手段によって検出されるが；これらの試験手段は、妨害を検出すると制御情報を発生する。この周知のデータキャリヤシステムでは、この制御情報を指示目的専用に用いて、データキャリヤシステムの使用者の注意を動作妨害や不正動作に引き付けるようにしている。すると、この周知のデータキャリヤシステムの使用者は、このような妨害がさらに発生することを回避するようなステップを取ろうと試行することがある。これは、多くの使用者によっては解消し得ない欠点を実際に構成する擾乱として経験される。
【０００６】
本発明の目的は、上記の問題を回避し、また、単純な方法でまた単純な手段を用いて、第２のパラグラフに記載した種類の改良型の読み／書きステーションと、第３のパラグラフに記載した種類の改良型のデータキャリヤと、第４のパラグラフに記載した種類の改良型の集積回路と、を提供し、これによって、これらの改良型手段を応用して第１のパラグラフに記載した種類の改良された方法の実行を可能とすることである。
【０００７】
【課題を解決するための手段】
この目的を達成するために、本発明による第１のパラグラフに記載した種類の方法は、少なくとも１つの送信モードデータブロックを制御信号として発生し、この送信モードデータブロックをデータキャリヤに送信し、この送信された送信モードデータブロックをデータキャリヤ中で評価し、この送信された送信モードデータブロックの評価に合わせて、データキャリヤを制御して他の送信モードとし、このモードで、データキャリヤからのデータブロックを読み／書きステーションに送信するために、キャリヤ信号の負荷変調を、少なくとも１つの他の補助キャリヤ信号によって実行し、この際にこの少なくとも１つの他の補助キャリヤ信号の少なくとも１つの周波数と１つの補助キャリヤ信号の周波数とが別々の値を有することを特徴とする。
【０００８】
上記の目的を達成するために、本発明による第２のパラグラフに記載した種類の読み／書きステーションは、少なくとも１つの送信モードデータブロックを制御情報として発生し、これによって、データキャリヤ中で、他の送信モードが起動可能であり、この送信モードでは、少なくとも１つの他の補助キャリヤ信号によってキャリヤ信号の負荷変調を実行して、データキャリヤからのデータブロックを読み／書きステーションに送信可能であり、また、この少なくとも１つの他の補助キャリヤ信号の少なくとも１つの周波数とこの１つの補助キャリヤ信号の周波数とが別々の値を有するように試験手段が配置されていることを特徴とする。
【０００９】
上記の目的を達成するために、本発明による第３のパラグラフに記載の種類のデータキャリヤは、このデータキャリヤが読み／書きステーションによってデータキャリヤに送信された送信モードデータブロックを評価する評価手段を含み、また、データキャリヤを制御して他の送信モードとし、このモードで、少なくとも１つの他の補助キャリヤ信号によるキャリヤ信号の負荷変調を実行して、データキャリヤからのデータブロックを読み／書きステーションに送信することが可能であり；また、このデータキャリヤは、この評価手段が影響を及ぼすことができ、また、評価された送信モードデータブロックに合わせてデータキャリヤを制御して他の送信モードとし、このモードで、データキャリヤからのデータブロックを読み／書きステーションに送信するために、キャリヤ信号の負荷変調を少なくとも１つの他の補助キャリヤ信号によって実行することが可能であり、この少なくとも１つの他の補助キャリヤ信号の少なくとも１つの周波数とこの１つの補助キャリヤ信号の周波数とが別々の値を有するような制御手段を含む；ことを特徴とする。
【００１０】
上記の目的を達成するために、本発明による第４のパラグラフに記載された種類の集積回路は、この回路が、読み／書きステーションによって本回路に送信された送信モードデータブロックを評価する評価手段を含み、本回路を制御して他の送信モードとし、このモードで、キャリヤ信号の負荷変調を、少なくとも１つの他の補助キャリヤ信号によって実行して、この回路からのデータブロックを読み／書きステーションに送信することと；本回路が、この評価手段によって影響することができる制御手段を含み、これによって、本回路を、評価された送信モードデータブロックに合わせて、制御して他の送信モードとし、これによって、本回路からのデータブロックを読み／書きステーションに送信し、キャリヤ信号の負荷変調が少なくとも１つの他の補助信号によって実行可能であり、この少なくとも１つの他の補助キャリヤ信号の少なくとも１つの周波数とこの１つの補助キャリヤ信号の周波数とが別々の値を有する；ことを特徴とする。
【００１１】
追加手段をほとんど用いることなく、本発明によるステップは、本発明によるデータキャリヤから本発明による読み／書きステーションへのデータ送信中のエラーが検出されたら、読み／書きステーションがデータキャリヤに影響するように、すなわち、１つの補助キャリヤ信号によってキャリヤ信号の負荷変調によるデータ送信の代わりに、少なくとも１つの他の補助キャリヤ信号によるキャリヤ信号の負荷変調によるデータ送信に切り換えられようにすることを、簡単に保証する。言い換えれば、本発明によるデータキャリヤから本発明による読み／書きステーションへのデータ送信は、１つの補助キャリヤ信号によるキャリヤ信号の負荷変調による１つの送信モードと、少なくとも１つの他の補助キャリヤ信号によるキャリヤ信号の負荷変調による他の送信モードと、で可能とされる。他の送信モードでは、キャリヤ信号の負荷変調を、他の補助キャリヤ信号だけで実行できれば利点がある。しかしながら、他の送信モードでは、キャリヤ信号の負荷変調もまた、１つの補助キャリヤ信号と他の補助キャリヤ信号で実行できれば利点がある。しかしながら、他の送信モードでは、キャリヤ信号の負荷変調もまた、２つ、３つ、または４つの他の補助キャリヤ信号で実行できれば利点がある。１つの補助キャリヤ信号を用いることは、例えば、妨害がこの１つの補助キャリヤ信号の範囲で発生して他の補助キャリヤ信号の範囲では発生しない場合には利点となるが、その理由は、このキャリヤ信号を他の補助キャリヤ信号によって負荷変調すると、妨害を鎮めて正しいデータ送信が可能となるからである。例えば２つの補助キャリヤ信号を用いると、この１つの補助キャリヤ信号の範囲で妨害が発生しても、他の補助キャリヤ信号の範囲では妨害が発生しないということがあって、これによってこの他の補助キャリヤ信号に基づいて読み／書きステーションでデータを受信できるという利点がある。したがって、２つの補助キャリヤ信号を用いると、高い信頼性を生じる所与の冗長性を導入する。その一方では、２つの補助キャリヤ信号を用いることは、データキャリヤ中での消費電力が比較的高くなり、そのため、その範囲が減少することを意味する。データ送信にたった１つの補助キャリヤ信号を用いると、データキャリヤ内での消費電力が比か雨滴低くなるという利点があるが；これは出きる限り大きい範囲を達成するという観点からは魅力的である。データキャリヤから読み／書きステーションへのデータ送信の途中で妨害が検出されると、読み／書きステーションはデータキャリヤに影響するので、本発明によるデータキャリヤに対してより魅力的な送信モードまたは通信モードを毎回起動できるということは利点である。
【００１２】
データキャリヤから読み／書きステーションへのディジタルデータ、すなわちデータブロックの送信に際しては、読み／書きステーション中で発生されデータキャリヤ中で誘導的に得られたキャリヤ信号を２つの補助キャリヤ信号で負荷変調することは欧州特許出願公開第０８４５７５１号（ＥＰ  ０  ８４５  ７５１  Ａ１）からすでに周知であるが、この場合、補助キャリヤ信号の補助キャリヤ周波数ｆ１及びｆ２の、キャリヤ信号のキャリヤ周波数ｆ０に対する比はいつでも整数である。これで、周波数ｆ１＝４８４．２ｋＨｚを有する補助キャリヤ信号によるキャリヤ信号の負荷変調によって「１」ビットが送信され、補助キャリヤ周波数ｆ２＝４２３．７５ｋＨｚを有する補助キャリヤ信号によるキャリヤ信号の負荷変調によって「０」ビットが送信される。データキャリヤから読み／書きステーションへのデータ送信に際して妨害が発生すると、この妨害は読み／書きステーションに含まれる試験手段によって検出され、その後で、試験手段は、妨害または受信データのエラーを検出した際の制御情報を発生する。この制御情報はシーケンス手段に印加され、このシーケンス手段は、この供給された制御情報とは無関係に、スイッチング信号を出力し、このスイッチング信号は読み／書きステーション内でスイッチング目的で用いられる；このスイッチング動作によって、データ送信を改善したり実質的に正確に実行しようという試行がなされる。欧州特許出願公開第０８４５７５１号から周知のデータキャリヤシステムでは、スイッチング動作は読み／書きステーション中だけで実行される。しかしながら、このようなスイッチング動作は、データキャリヤから読み／書きステーションに至る送信経路に起因する妨害に対して影響することはあり得ず、このため、データ送信中にこのような妨害によって引き起こされたエラーはこの周知のデータキャリヤシステムでは解消することは不可能である。
【００１３】
【発明の実施の形態】
本発明の上記の態様及び他の態様は以下に述べる実施形態から明らかになるであろう。
【００１４】
本発明を、図面中に示す実施形態を参照して以下に詳述するが、本発明はこの実施形態に制限されることはない。
【００１５】
図１に、分かりやすいように、以後簡潔にするためステーション１と呼ぶ読み／書きステーション１を示す。ステーション１は、複数のデータキャリヤＤと通信するように意図され配置されている。図２にこのようなデータキャリヤＤを示す。
【００１６】
ステーション１とデータキャリヤＤ間での通信に関しては、このような通信は主としてデータブロックという形態でなされるが、このデータブロックは各々が所定の数のバイトから成り、また、各バイトが、本実施例では８ビットである所定のビット数から成っていることに注意されたい。ステーション１とデータキャリヤＤ間での通信において、ステーション１は命令データブロック、例えば選択データブロックと読み出しデータブロックと書き込みデータブロックとをデータキャリヤＤに送信することができる。本実施例では、命令データブロックの内で送信モードデータブロックＭＤＢだけを以下の記述で詳述する。
【００１７】
ステーション１はデータ処理手段２を含んでいる。データ処理手段２はシーケンス手段（図示せず）とロジック手段と制御手段と記憶手段とを含んでいる。データ処理手段２はまた、以下の詳述する機能を持つ試験手段３を含んでいる。
【００１８】
ステーション１はまた、最大で１３．５６ＭＨｚに達する周波数ｆ０を有するクロック信号ＣＬＫを発生するクロック信号発生器４を含んでいる。クロック信号ＣＬＫは接続部５を介してデータ処理手段２に供給することができる。
【００１９】
クロック信号発生器４が発生したクロック信号ＣＬＫはまた、さらなる接続部６を介して、クロック信号ＣＬＫとは無関係にキャリヤ信号ＣＳを発生するキャリヤ信号発生器７に供給できるが、このキャリヤ信号はもまた、最大で１３．５６ＭＨｚに達する周波数ｆ０を有する。キャリヤ信号発生器７が発生したキャリヤ信号ＣＳは、接続部８を介して変調手段９に、また、さらなる接続部１０を介して周波数分割手段１１に供給することができる。
【００２０】
ステーション１はまた、データ処理手段２が発生した命令データブロックを接続部１３を介して供給される符号化手段１２を含んでいる。すでに述べた送信モードデータブロックＭＤＢもまた、したがって、符号化手段１２に供給することができる。符号化手段１２は、データ処理手段２に含まれるシーケンス手段によって接続部１４を介して制御することができる。符号化手段１２は、自身に入力された命令データブロックを符号化する、すなわち、受信された送信モードデータブロックＭＤＢを符号化する。符号化手段１２によって符号化されたデータブロックは接続部１５を介して変調手段９に入力することができる。
【００２１】
本実施例では、変調手段９は、キャリヤ信号ＣＳを接続部８を介してキャリヤ信号発生器７から供給されて、符号化手段１２が出力した符号化済みのデータブロックとは無関係にキャリヤ信号ＣＳの振幅変調を保証することができる振幅変調手段によって形成されている。変調手段９は、１０％振幅変調（ＡＳＫ１０％）を実行して、振幅変調されたキャリヤ信号ＣＳＭを出力する。しかしながら、振幅変調手段という形態で実現されたこの変調手段はまた、１００％振幅変調（ＡＳＫ１００％）を実行するようにすることもできる。
【００２２】
変調手段９が符号化手段１２から符号化済みデータブロックを供給されない場合、変調手段９は未変調のキャリヤ信号ＣＳを出力する。これは、例えば、ステーション１とデータキャリヤＤとの間で通信動作中にデータをデータキャリヤＤからステーション１に送信する場合である。
【００２３】
振幅変調済みのキャリヤ信号ＣＳＭと未変調のキャリヤ信号ＣＳとは、送信機増幅器１６に入力することができる。
【００２４】
キャリヤ信号発生器７から接続部１０を介して周波数分割手段１１に印加されたキャリヤ信号ＣＳは、周波数分割手段１１で周波数を分割される。周波数分割手段１１はこのようにして、周波数分割されたキャリヤ信号ＣＳ’を接続部１７を介して出力する。
【００２５】
送信機増幅器１６は、接続部１８を介してコイルカップリング手段１９に接続されているが、この手段１９から、振幅変調されたキャリヤ信号ＣＳＭまたは未変調のキャリヤ信号ＣＳのどちらかを、送信機コイル２１を含んでいる送信機／受信機手段２０に入力することができる。送信機コイル２１を含んでいる送信機／受信機手段２０は、無接触式にこのデータキャリヤＤの無接触動作式送信機手段にカップリングすることが可能な無接触動作式送信機手段を構成しており、このため、振幅変調されたキャリヤ信号ＣＳＭと未変調のキャリヤ信号ＣＳとを、データキャリヤＤの無接触動作式送信機手段によってデータキャリヤＤ中で得ることができ；また、ある１つの送信モードにおいては、以下に詳述するように、未変調のキャリヤ信号ＣＳの負荷変調を補助キャリヤ信号によって実行して、データブロックをデータキャリヤＤからステーション１に送信することができる。
【００２６】
ステーション１はまた、接続部２３を介してコイルカップリング手段１９に接続されている入力フィルタ手段２２を含んでいる。負荷変調されたキャリヤ信号ＣＳＢは接続部２３を介して入力フィルタ手段２２に印加することができる。負荷変調されたキャリヤ信号ＣＳＢが入力フィルタ手段２２によってフィルタリングされると、フィルタリングされた負荷変調済みのキャリヤ信号ＣＳＢは、接続部２４を介して復調手段２５に印加することができる。第１の復調手段２５にもまた、接続部１７を介して周波数分割されたキャリヤ信号ＣＳ’を供給することができる。負荷変調されたキャリヤ信号ＣＳＢは復調手段２５によって復調される。復調によって形成されたこの信号は、接続部２６を介して復調手段２５から出力することができる。復調手段２５から出力されたこの信号は、第１の補助キャリヤ信号ＳＣＳ１を含むデータ信号ＤＳ１に関わり、また、マンチェスタ符号に従って符号化されたり、または、第２の補助キャリヤ信号ＳＣＳ２を含む第２のデータ信号ＤＳ２もまたマンチェスタ符号に従って符号化される。
【００２７】
ステーション１はまた、第１のフィルタ手段２７と第２のフィルタ手段２８とを含むが、双方とも、それぞれの接続部２９Ａと２９Ｂを介して、接続部２６に対して、したがって復調手段２５の出力に接続されている。第１のフィルタ手段２７は、第１の補助キャリヤ信号ＳＣＳ１を含み、マンチェスタ符号に従って符号化される第１のデータ信号ＤＳ１をフィルタリングするように配置されている。第２のフィルタ手段２８は、第２の補助キャリヤ信号ＳＣＳ２を含み、これまたマンチェスタ符号に従って符号化される第２のデータ信号ＤＳ２をフィルタリングする。第１のフィルタ手段２７は、フィルタリングされた第１のデータ信号ＤＳ１を接続部３０から出力する。第２のフィルタ手段２８は、第２のデータ信号ＤＳ２をさらなる接続部３１から出力する。
【００２８】
接続部３３を介して制御することができる復号化手段３２は、接続部３０に接続されている。さらなる接続部３５を介して制御可能な第２の復号化手段３４は、接続部３１に接続されている。これら２つの復号化手段３２と３４は、自身に入力されるデータ信号ＤＳ１とＤＳ２とを復号化することが可能であり、このため、第１の復号化手段３２は、ベースバンドにあり個々の第１のデータブロックＤＢ１を構成するデータを自身の出力部３６から出力し、第２の復号化手段３４は、ベースバンドにあり第２のデータブロックＤＢ２を構成するデータを自身の出力部３７から出力する。出力部３６と３７から出力されたデータブロックＤＢ１とＤＢ２とは、それぞれの接続部３８と３９を介してデータ処理手段２に印加される。
【００２９】
すでに述べたように、データ処理手段２にもまた、図１の略図に点線で示すように、第１と第２の復号化手段３２と３４が出力したデータブロックＤＢ１とＤＢ２を供給することができる。試験手段３の構造は、復調手段２５に続く信号経路内で妨害が発生したか否かを検出するように自身が試験を実行できるような構造となっている。したがって、これらの試験手段はまた、データキャリヤＤとステーション１との間での送信経路上での妨害影響による妨害を検出する。
【００３０】
図１に示すステーション１では、試験手段３に、復号化手段３２と３４が出力したデータブロックＤＢ１とＤＢ２を供給して、試験を実行することが可能である。しかしながら、データブロックＤＢ１とＤＢ２（点線で示されている）の代わりにデータ信号ＤＳ１とＤＳ２を試験手段３に供給することも容易に可能である。また、データブロックＤＢ１とＤＢ２と共にデータ信号ＤＳ１とＤＳ２を一緒に試験手段に供給することも可能である。
【００３１】
試験手段３は、環境とは無関係に、すなわち、試験手段３が、複数の送信モードのデータブロックＭＤＢ１、ＭＤＢ２及びＭＤＢ３を発生するようになっている状態で送信モードが起動されたか妨害が検出されたかとは無関係に様々な制御情報を発生することが可能である。試験手段３は、図１に点線で示すように、これらの送信モードデータブロックＭＤＢ１、ＭＤＢ２及びＭＤＢ３の各々を、データ処理手段２と復号化手段１２との間に備えられている接続部１３を介して供給することができる。したがって、送信モードデータブロックＭＤＢは符号化手段１２に印加し、ここで符号化され、次に、変調手段９によって変調され、これによって、変調された送信モードデータブロックＭＤＢが送信増幅器１６によって増幅されたら、この変調済み送信モードデータブロックＭＤＢの各々を送信機／受信機手段２０によってデータキャリヤＤに送信することが可能となる。変調モードデータブロックＭＤＢ１、ＭＤＢ２及びＭＤＢ３は各々が、以下に詳述するように、データキャリヤＤ中で別の送信モードを起動して、ステーション１と通信することが可能である。
【００３２】
データキャリヤＤの構造は、図１に示すステーション１と協働するに適しまたそのように構造化されているが、図２に示すデータキャリヤを参照して以下に詳述する。
【００３３】
データキャリヤＤは、送信機コイル４１を含み、また、データブロックの受信と送信を実行するように配置されている送／受信手段４０を含んでいる。
【００３４】
データキャリヤ２は、集積回路４２を含んでいるが、この集積回路については図２では、本文脈で本質的な部分だけを図示してある。回路４２は、第１の接続コンタクト４４と第２の接続コンタクト４５とを含む接続手段４３を含んでいる。
【００３５】
送信機コイル４１は、接続手段４３の２つの接続コンタクト４４と４５に接続されている。さらに、キャパシタ４６が２つの接続コンタクト４４と４５に接続されており；このキャパシタは、送信機コイル４１と一緒になって、実質的に送／受信手段４０を構成する並行共振回路を構成している。送／受信手段４０は、読み／書きステーション１の無接触動作式送信機手段に、したがってステーション１の送／受信手段２０に誘導性カップリングすることが可能な無接触動作式送信機手段を構成し；これで、データキャリヤＤ中の送／受信手段４０による誘導性カップリングによって、振幅変調されたキャリヤ信号ＣＳＭと未変調キャリヤ信号ＣＳ―双方ともステーション１で発生した信号である―とをデータキャリヤＤ中で得ることが可能となる。
【００３６】
データキャリヤＤは負荷変調手段４７を含み、これによって、以下に詳述するように、データキャリヤＤからデータブロックをステーション１に送信する送信モードにおいて、未変調キャリヤ信号ＣＳの負荷変調を、補助キャリヤ信号ＳＣＳによって実行することが可能となる。負荷変調手段４７は実質的に、抵抗体４８と制御式スイッチ４９との直列接続から成っている。この抵抗体４８とスイッチ４９との直列接続はまた、２つの接続コンタクト４４と４５に接続され、したがって、送信機コイル４１とキャパシタ４６から成る並行共振回路に並列に接続可能である。制御式スイッチ４９は、非導通状態と導通スイッチング状態間でスイッチングさせることができ、抵抗体４８は、スイッチ４９の非導通状態においては並行共振回路にとっては負荷とは成らず、一方、スイッチ４９の導通状態においては、抵抗体４８は並行共振回路を抑制することにある。したがって、制御式スイッチ４９を制御することによって、ステーション１で発生され、データキャリヤＤに送信された未変調キャリヤ信号ＣＳの負荷変調が可能となるが；このような負荷変調を実行すると、２つの送信機コイル４１と４２間での誘導性カップリングのために、データキャリヤＤとステーション１との中で負荷変調されたキャリヤ信号ＣＳＢが発生する。
【００３７】
データキャリヤＤすなわちデータキャリヤＤの回路４２はまた、接続部５１を介して第１の接続コンタクト４４に接続されている直流電圧発生手段５０を含んでおり、これによって、振幅変調されたキャリヤ信号ＣＳＭ又は未変調のキャリヤ信号ＣＳを用いて、直流電源電圧Ｖを発生して回路４２全体に供給することができる。直流電圧発生手段５０は、周知の方法で、過度に高い直流電源電圧の発生を防止するために電圧制限手段を含んでいることに注意されたい。
【００３８】
直流電圧発生手段５０に対して、接続部５２を介して、直流電源電圧が発生するとリセット信号ＲＳを発生することができるリセット信号発生手段５３が接続されているが；これは、データキャリヤＤがステーション１の通信範囲に入って、このリセット信号がいわゆるパワーオン／リセットを開始することが可能である場合には常に当てはまる。リセット信号ＲＳは、以下に述べる構造と動作を持つデータ処理手段５５に、接続部５４を介して入力することができる。
【００３９】
データキャリヤＤはまた、これまた第１の接続コンタクト４４に接続部５１を介して接続されているクロック信号再発生手段５６を含んでいる。クロック信号ＣＬＫは、受信された振幅変調済みキャリヤ信号ＣＳＭ又は受信された未変調キャリヤ信号ＣＳに基づいてクロック信号再発生手段５６によって発生され、これによって、クロック信号ＣＬＫをデータキャリヤＤとステーション１との中で利用して、関連のキャリヤ信号ＣＳＭ又はＣＳを発生して送信することを可能とする。この再発生されたクロック信号ＣＬＫは接続部５７を介してデータ処理手段５５に入力される。再発生クロック信号ＣＬＫはまた接続５８からも利用可能である。
【００４０】
データキャリヤＤはまた、振幅復調手段として形成されている復調手段５９を含んでおり、また、接続部５１を介して第１の接続コンタクト４４に接続されている。復調手段５９は、ステーション１から送信され、データキャリヤＤの送信機コイル４１で受信された振幅変調されたキャリヤ信号ＣＳＭを復調することが可能である。復調手段５９は、データキャリヤＤから送信されたデータブロックを接続部６０を介して出力するが、また、データキャリヤＤに送信された送信モードデータブロックＭＤＢ１、ＭＤＢ２及びＭＤＢ３を未変調でありまだ復号化されていない形態で含んでいる。
【００４１】
復号化手段６１は、符号化されたデータブロックを復号化するために備えられている。復号化手段６１は、データ処理手段５５に含まれているが図２には示されていないシーケンス手段によって接続部６２を介して制御することができる。復号化手段６１はデータブロックを復号化する、したがってまた、送信モードデータブロックＭＤＢ１，ＭＤＢ２及びＭＤＢ３を復号化するが；この復号化された送信モードデータブロックはデータ処理手段５５に接続部６３を介して供給することができる。
【００４２】
データ処理手段５５は、シーケンス手段（図示せず）と、ロジック手段と、制御手段と、さらに記憶制御手段と、を含んでいる。この記憶制御手段（図示せず）は、記憶手段６４に記憶されており、毎回少なくとも１つのデータブロックＤＢを構築するデータＤＡを、接続部６６を介してデータ処理手段５５に入力することができるように、データキャリヤＤの記憶手段６４を接続部６５を介して制御することが可能である。
【００４３】
データ処理手段５５は評価手段６７を形成し、これによって、ステーション１からデータキャリヤＤにすなわち回路４２に送信された送信モードデータブロックＭＤＢ１、ＭＤＢ２及びＭＤＢ３の各々を評価することが可能となっている。
【００４４】
データ処理手段５５はまた、点線の接続部６９で示されるように、評価手段６７からの影響を受けることが可能な制御手段６８を実現している。制御手段６８は、データキャリヤ２すなわち回路４２を、評価された送信モードデータブロックＭＤＢ１、ＭＤＢ２又はＭＤＢ３に合わせて制御して別の送信モードとすることが可能であるが、ここで、各送信モードは送信モードデータブロックＭＤＢ１、ＭＤＢ２及びＭＤＢ３にそれぞれ対応している。
【００４５】
データキャリヤＤすなわち回路４２はまた、それぞれ接続部７３と７４を介して接続部５８に接続されている第１の周波数分割手段７１と第２の周波数分割手段７２とに含んでいる。この第１の周波数分割手段の分割比は１：３２であり、第２の周波数分割手段の分割比は１：２８である。第１の周波数分割手段７１の後続段は第１の補助キャリヤ信号発生器７５となっている。第２の周波数分割手段７２の後続段は第２の補助キャリヤ信号発生器７６となっている。第１の周波数分割手段７１が出力した周波数分割されたクロック信号を用いて、第１の補助キャリヤ信号発生器７５は、周波数ｆ１＝４２３．７５ｋＨｚを有する第１の補助キャリヤ信号ＳＣＳ１を発生することが可能である。第２の周波数分割手段が出力した周波数分割されたクロック信号を用いて、第２の補助キャリヤ信号発生器７６は、周波数ｆ２＝４８４．２８ｋＨｚを有する第２の補助キャリヤ信号ＳＣＳ２を発生することが可能である。
【００４６】
第１の補助キャリヤ信号発生器７５の後続段は第１の制御式スイッチング手段７７となっており、第２の補助キャリヤ信号発生器７６の後続段は第２の制御式スイッチング手段７８となっている。第１のスイッチング手段７７は、データ処理手段５５又はデータ処理手段５５によって実現されている制御手段６８に接続部８０を介して接続されている制御入力部７９を含んでいる。第２のスイッチング手段７８は、これまたデータ処理手段５５又はデータ処理手段５５によって実現されている制御手段６８に接続部８２を介して接続されている制御入力部８１を含んでいる。２つの補助キャリヤ信号ＳＣＳ１とＳＣＳ２の転送は、制御手段６８によってスイッチング手段７７と７８に入力することが可能な制御信号ＣＳ１とＣＳ２とは無関係に、２つのスイッチング手段７７と７８によって制御することができる。
【００４７】
第１のスイッチング手段７７の出力側は、接続部８３を介して、データキャリヤＤすなわち回路４２の符号化手段８５に接続されており、また、第２のスイッチング手段７８の出力側は接続部８４を介してそれに接続されている。接続部８６を介して、符号化手段８５は、データ処理手段５５に含まれるシーケンス手段（図示せず）によって制御することが可能である。符号化手段８５にはまた、さらなる接続部８７を介して、また（図２の点線の接続部で示すように）接続部６６を介して、記憶手段６４からデータ処理手段５５に入力されたデータＤＡ又はデータブロックＤＢを供給することができる。本実施例においては、符号化手段８５は、いわゆるマンチェスタ符号化動作を実行するように配置されている。符号化手段８５の出力側は、接続部８８を介して、負荷変調手段４７の制御式スイッチ４９の制御入力部８９に接続されている。したがって、スイッチ４９のスイッチング状態は、接続部８８を介して供給されたマンチェスタ符号化された信号とは無関係に制御することが可能である。
【００４８】
ステーション１とデータキャリヤＤ間における協働作業、すなわちステーション１とデータキャリヤＤ間の通信を以下に詳述する。このような通信動作では、データキャリヤＤからステーション１へのデータの無接触送信が実行される。
【００４９】
データキャリヤＤがステーション１の通信範囲に入ると仮定する。次に、ステーション１は、例えば規則的な時間間隔で自動的に選択データブロックを出力して、ステーション１の通信範囲内に存在するデータキャリヤＤを要求して、識別データブロックを返送し、これによって、通信範囲内に存在するすべてのデータキャリヤＤの選択を可能とする。図２に示すデータキャリヤＤはまたこのような選択操作でも選択される。
【００５０】
また、このようなデータキャリヤＤの選択に対して、ステーション１のデータ処理手段２は、第１の送信モードデータブロックＭＤＢ１を発生してそれを、選択データブロックのフレームワーク中の符号化手段１２に出力し、これによって、符号化した後で、キャリヤ信号ＣＳの変調が、これまた第１の送信モードデータブロックＭＤＢ１とは無関係に発生し、この後で、変調されたキャリヤ信号ＣＳＭは送／受信手段２０によって送信されるものと仮定する。その結果、変調されたキャリヤ信号ＣＳＭは、データキャリヤＤの送／受信手段４０によって受信され、その後で、復調手段５９によって復調され、次に復号化手段６１によって復号化され、これによって、復号化の後で、第１の送信モードデータブロックＭＤＢ１もまた、データキャリヤＤのデータ処理手段５５に入力される。データ処理手段５５中の評価手段を用いて、第１の送信モードデータブロックＭＤＢ１が評価される。ステーション１によって入力されたデータキャリヤに対する第１の送信モードデータブロックＭＤＢ１とは無関係に、第１の送信モードがデータキャリヤＤ中で起動される。この第１の送信モードはまたステーション１でも起動される、すなわち、ステーション１中にすでに存在する第１の送信モードデータブロックＭＤＢ１によって起動される。したがって、第１の送信モードはステーション１の中とデータキャリヤＤの中で起動される、すなわち、第１の送信モードデータブロックＭＤＢ１によって起動される。
【００５１】
第１の送信モードの場合、未変調のキャリヤ信号ＣＳの負荷変調は第１の補助キャリヤ信号ＳＣＳ１によって実行され、これによって、データキャリヤＤからデータブロックをステーション１に送信するものと仮定する。このようにデータブロックをデータキャリヤＤからステーション１に対して未変調キャリヤ信号ＣＳを負荷変調することによって送信することを可能とするために、ステーション１は、キャリヤ信号発生器７によって発生されているが変調手段９による変調を受けていないキャリヤ信号を送／受信手段４０に送信し、これによって、未変調キャリヤ信号ＣＳがキャリヤＤ中での負荷変調目的に対して利用可能となる。この負荷変調は、制御信号ＣＳ３を接続部８７を介して制御式スイッチ４９に入力することによって、負荷変調手段４７を用いて周知の方法で実行することができる。
【００５２】
制御信号ＣＳ３の発生を、図３Ａ、３Ｂ、３Ｃ及び３Ｄを参照して以下に簡単に述べる。第１の送信モードデータブロックＭＤＢ１が評価手段６７によって評価されたら、これらの手段６７は、接続部６９を介して、制御手段６８が図３Ａの高レベルの第１の制御信号ＣＳ１を出力するように、また、制御手段６８が図３Ｂの低レベルの第２の制御信号ＣＳ２を出力するように、制御手段６８に制御情報を入力する。制御信号ＣＳ１は、第１のスイッチング手段７７をその導通スイッチング状態に設定し、一方、第２の制御信号ＣＳ２のために、第２のスイッチング手段７８は、自身の非導通スイッチング状態に留まる。したがって、符号化手段８５がマンチェスタ符号化目的で第１の補助キャリヤ信号ＣＳ１だけを受信するという状態が達成される。符号化手段８５がデータブロックＤＢ（図３Ｃにはその１部だけを示す）を接続部８７を介して受信し、このデータブロックは「０」ビットと「１」ビットから成るものと仮定する。図３Ｃに示すようなビットシーケンスとなるため、その結果、図３Ｄに示す制御信号ＣＳ３が、符号化手段８５によってマンチェスタ符号化することによって得られる。制御信号ＣＳ３においては、周波数ｆ１を有する第１の補助キャリヤ信号ＳＣＳ１が各半ビット毎に、すなわち、「１」ビットが符号化される第２の半ビットの各持続時間毎に、また、「０」ビットが符号化される第１の半ビットの各持続時間毎に発生する。
【００５３】
第１の補助キャリヤ信号ＳＣＳ１のサイクルが制御信号ＣＳ３中で発生するとすぐに、制御式スイッチ４９は第１の補助キャリヤ信号ＳＣＳ１の周波数ｆ１、すなわちｆ１＝４２３．７５ｋＨｚで制御され；その結果、未変調キャリヤ信号ＣＳは第１の補助キャリヤ信号ＳＣＳ１によって負荷変調され、これによって、データキャリヤＤの送信機コイル４１とステーション１の送信機コイル２１との間の誘導性カップリングによって、負荷変調されたキャリヤ信号ＣＳＢが得られる、すなわち、データキャリヤＤ中とステーション１中とで得られることになる。
【００５４】
次いで、負荷変調されたキャリヤ信号ＣＳＢが、入力フィルタ手段２２を介して復調手段２５に入力され、復調手段２５によって復調され、これによって、第１の補助キャリヤ信号ＳＣＳ１を含み、マンチェスタ符号に合わせて符号化中の第１のデータ信号ＤＳ１が出力側で、接続部２６を介して得られる。第１のデータ信号ＤＳ１は、第１のフィルタ手段２７によってフィルタリングされ、これによって、第１の復号化手段３２に入力される。第１の復号化手段は、マンチェスタ符号化された第１のデータ信号ＤＣ１を復号化し、これによって、ステーション１のデータ処理手段２に入力された復号化済みの第１のデータブロックＤＢ１を自身の出力部３６から出力する。
【００５５】
第２の送信モードもまた、ステーション１のデータ処理手段２によって起動することが可能である。この目的のために、データ処理手段は第２の送信モードデータブロックＭＤＢ２を発生するが、このデータブロックもまたデータキャリヤＤに入力されて、データキャリヤＤ中のデータ処理手段５５の評価手段６７によって評価される。ステーション１からデータキャリヤＤに送信された送信モードデータブロックＭＤＢ２の評価に合わせて、第２の送信モードをデータキャリヤＤ中で起動する。この第２の送信モードもまたステーション１中で、すなわち、ステーション１中にすでに存在する第２の送信モードデータブロックＭＤＢ２によって起動される。したがって、第２の送信モードは、ステーション１中とデータキャリヤＤ中とで、すなわち、第２の送信モードデータブロックＭＤＢ２によって起動される。
【００５６】
第２の送信モードの場合、未変調のキャリヤ信号ＣＳの負荷変調は第２の補助キャリヤ信号ＳＣＳ２によって実行され、これによって、データブロックをデータキャリヤＤからステーション１に送信するものと仮定する。この目的のために、図４Ａ、４Ｂ、４Ｃ及び４Ｄを参照して以下に簡潔に述べるように、制御信号ＣＳ３を再度発生する。
【００５７】
評価手段６７は、第２の送信モードデータブロックＭＤＢ２を評価したら、図４Ａに示す低レベルの第１の制御信号ＣＳ１を制御手段６８が出力し、また、制御手段６８が、図４Ｂに示す高レベルの第２の制御信号ＣＳ２を出力するように、制御情報を接続部６９を介して制御手段６８に供給する。第１の制御信号ＣＳ１は、第１のスイッチング手段７７を非導通スイッチング状態に留め、一方、第２の制御信号ＣＳ２によって、第２のスイッチング手段７８はその導通スイッチング状態に設定される。このようにして、マンチェスタ符号化用の符号化手段８５が第２の補助キャリヤ信号ＳＣＳ２だけを受信するような状況が達成される。図４Ｃに部分的にだけ示され、「０」ビットと「１」ビットから成るデータブロックＤＢは、接続部８７を介して符号化手段８５に入力されると仮定される。データブロック。ビットシーケンスが図４Ｃに示すようなものであるため、図３Ｄに示す制御信号ＣＳ３は、符号化手段８５がマンチェスタ符号化を実行することによって得られる。制御信号ＣＳ３においては、周波数ｆ２を持つ第２の制御キャリヤ信号ＳＣＳ２は各半ビット毎に発生する、すなわち、「１」ビットが符号化される第２の半ビットの持続時間毎と、「０」ビットが符号化される第１の半ビットの持続時間毎に発生する。
【００５８】
第２の補助キャリヤ信号ＳＣＳ２の発振列が制御信号ＣＳ３中で発生するとすぐに、制御式スイッチ４９が、第２の補助キャリヤ信号ＳＣＳ２の周波数ｆ２、すなわち周波数ｆ２＝４８４．２８ｋＨｚで制御され、その結果、未変調キャリヤ信号ＣＳが第２の補助キャリヤ信号ＳＣＳ２によって負荷変調され、これによって、負荷変調されたキャリヤ信号ＣＳＢが、データキャリヤＤとステーション１との中で得られる。
【００５９】
次いで、この負荷変調されたキャリヤ信号ＣＳＢが、入力フィルタ手段２２を介して復調手段２５に入力されてここで復調され、これによって、第２の補助キャリヤ信号ＳＣＳ２を含み、マンチェスタ符号に合わせて符号化された第２のデータ信号ＤＳ２が、出力側の接続部２６から得られる。第２のデータ信号ＤＳ２は、第２のフィルタ手段２８によってフィルタリングされて、第２の復号化手段３４に入力される。第２の復号化手段は、マンチェスタ符号化された第２のデータ信号ＤＳ２を復号化し、これによって、この第２の復号化手段が、ステーション１のデータ処理手段２に入力される復号化された第２のデータブロックＤＢ２を自身の出力部から出力されるようにする。
【００６０】
ステーション１のデータ処理手段２もまた、第３の送信モードブロックＭＤＢ３を発生し、これによって、第３の送信モードがステーション１中でとデータキャリヤＤ中で起動できるようにすることができる。第３の送信モードの場合、未変調のキャリヤ信号ＣＳの負荷変調は、第１の補助キャリヤ信号ＣＳ１と第２の補助キャリヤ信号ＣＳ２とによって実行され、これによって、データブロックをデータキャリヤＤからステーション１に送信するものと定められる。データブロックをデータキャリヤＤからステーション１に既述の負荷変調によってこのように送信するために、第３の送信モードデータブロックＭＤＢ３が評価手段６７によって評価されたらこれに引き続いて、データキャリヤＤのデータ処理手段５５が上記と同じような方法で制御信号ＣＳ３を発生する。
【００６１】
図５Ａ、５Ｂ、５Ｃおよび５Ｄを参照して、制御信号ＣＳ３の発生方法を以下に簡潔に説明する。第３の送信モードデータブロックＭＤＢ３を評価手段６７で評価したら、これらの手段は、制御手段６８が図５Ａと５Ｂに示すそれぞれの高レベルを持つ制御信号ＣＳ１とＣＳ２を出力するような制御情報を接続部６９を介して制御手段に供給する。これら２つの制御信号ＣＳ１とＣＳ２は、第１と第２の制御手段７７と７８をその導通状態とするように制御する。このようにして、符号化手段８５が、マンチェスタ符号化のための第１の補助キャリヤ信号ＳＣＳ１と第２の補助キャリヤ信号ＳＣＳ２を受信するような状況が達成される。図５Ｃにその１部だけを示すデータブロックＤＢが接続部８７を介して符号化手段８５に入力されるものと仮定する。ビットシーケンスが図５Ｃに示すようなものであるため、符号化手段８５によるマンチェスタ符号化によって、図５Ｄに示す制御信号ＣＳ３が発生する。制御信号ＣＳ３においては、周波数ｆ１を持つ第１の補助キャリヤ信号ＳＣＳ１は半ビット毎に発生し、周波数ｆ２を持つ第２の補助キャリヤ信号ＳＣＳ１もまた半ビット毎に発生する。「０」ビットが符号化されると、周波数ｆ１を持つ第１の補助キャリヤ信号ＳＣＳ１が、第１の半ビット持続時間毎に発生し、また、第２の半ビット持続時間毎に周波数ｆ２を持つ第２の補助キャリヤ信号ＳＣＳ２が発生する。「１」ビットが符号化されると、第１の半ビット持続時間毎に、周波数ｆ２を持つ第２の補助キャリヤし号ＳＣＳ２が発生し、第２の半ビット持続時間毎に、周波数ｆ１を持つ第１の補助キャリヤ信号ＳＣＳ１が発生する。
【００６２】
図５Ｄに示す制御信号ＣＳ３が制御式スイッチ４９に入力されると、制御式スイッチ４９は第１の補助キャリヤ信号ＳＣＳ１の周波数ｆ１すなわちｆ１＝４２３．７５ｋＨｚと第２の補助キャリヤ信号ＳＣＳ２の周波数ｆ２すなわちｆ２＝４８４．２８ｋＨｚで制御される。その結果、未変調のキャリヤ信号ＣＳが、第１の補助キャリヤ信号ＳＣ１と第２の補助キャリヤ信号ＳＣＳ２によって負荷変調され、これによって、負荷変調されたキャリヤ信号ＣＳＢがデータキャリヤＤとステーション１の中で得られる。
【００６３】
この結果、負荷変調されたこのキャリヤ信号ＣＳＢは、入力フィルタ手段２２を介してステーション１の復調手段２５に入力されて、復調手段２５によって復調され、これによって、出力側の接続部２６のところで、第１の補助キャリヤ信号ＳＣＳ１を含みマンチェスタ符号に合わせて符号化されている第１のデータ信号ＤＳ１と第２の補助キャリヤ信号ＳＣＳ２を含みマンチェスタ符号に合わせて符号化されている第２のデータ信号ＤＳ２とが得られる。この２つのデータ信号ＤＳ１とＤＳ２は、それぞれ、第１のフィルタ手段２７と第２のフィルタ手段２８によってフィルタリングされて、第１の復号化手段３２と第２の復号化手段３４に入力される。復号化手段３２と３４は、それぞれの復号化されたデータブロックＤＢ１とＤＢ２がそれぞれの出力部３６と３７から出力されてステーション１のデータ処理手段に入力されるように、マンチェスタ符号化されたデータ信号ＤＳ１とＤＳ２を復号化する。
【００６４】
ステーション１中のデータ処理手段２は試験手段３を含んでいる。この試験手段３には、第１の復号化手段３２と第２の復号化手段３４が出力した復号化済みのデータブロックＤＢ１とＤＢ２が供給される。試験手段３はデータブロックＤＢ１とＳＢ２を試験する。試験手段３は、復号化手段２５を越えたところの信号経路内で妨害が発生したか否か試験を実行するが；このような妨害が検出された場合、試験手段３は、制御情報、すなわち既述の送信モードデータブロックＭＤＢ１、ＭＤＢ２及びＭＤＢ３の内の１つを発生することができる。
【００６５】
試験手段３は、自身が検出した妨害が、１つの補助キャリヤ信号ＳＣＳ１によるキャリヤ信号ＣＳの負荷変調の間に発生したエラーのためであるか否かの試験を実行するようになっている。試験の結果が肯定であれば、試験手段３は、この試験の結果と関連する送信モードデータブロックを発生するようになっているが、このデータブロックは、第２の送信モードデータブロックＭＤＢ２又はさらに、第３の送信モードデータブロックＭＤＢ３によって形成したものであってもよい。このようにして、ステーション１とデータキャリヤＤで通例として起動されている第１の送信モード中にデータキャリヤＤからステーション１への送信の際に妨害が発生した場合に、別の送信モード、すなわち第２の又は第３の送信モードがデータキャリヤ２とステーション１とで自動的に起動されるという状態が達成されるが；このことは、試験手段３によって発生され、ステーション１とデータキャリヤＤで関連の送信モードを起動する第２又は第３の送信モードデータブロックＭＤＢ２又はＭＤＢ３によって実現される。
【００６６】
試験手段３に関連して、この試験手段もまた、データキャリヤ２中の１つの補助キャリヤ信号ＳＣＳ１によってキャリヤ信号ＣＳの負荷変調が実行されない送信停止間に、有用な信号を模倣している妨害信号が復号化手段２５を越えたところに存在するか否かの試験を実行するようになっていることに注意されたい；試験の結果が肯定であると、試験手段３は、この試験の結果と関連する送信モードデータブロックＭＤＢ２又はＭＤＢ３を発生するようになっている。
【００６７】
上記のステーション１とデータキャリヤＤにおいては、追加手段をほとんど用いることなく、データキャリヤＤからステーション１へのデータ送信中にエラーが検出された後でデータキャリヤに対してステーション１が影響する、すなわち、１つの補助キャリヤ信号を用いる負荷変調によるデータ送信の代わりに、少なくとも１つの他の補助キャリヤ信号を用いるキャリヤ信号の負荷変調によるデータ送信に切り替わるようにできるという状況が簡単に達成される。したがって、所与の送信モードで実行されるデータキャリヤＤからステーション１へのデータ送信の最中に妨害が検出されると、それぞれのより利点のある送信方法又は別の送信モードを持つ通信方法に切り替われば利点となる。
【００６８】
本発明は既述の実施形態に限られない。他の送信モードもまた可能であり、さらなる送信モードデータブロックによって起動される。例えば、さらなる送信モードでは、各１ビット毎の送信が、３つの補助キャリヤ信号によって、又は４つの補助キャリヤ信号によって実現することができる。図２を参照してデータキャリヤＤを考慮すると、第１のスイッチング手段７７と第２のスイッチング手段７８ともまた、符号化手段８５に含んでもよいことに注意されたい。さらに、第１のスイッチング手段７７と第１の補助キャリヤ信号発生器７５ともまた、第２のスイッチング手段７８と第２の補助キャリヤ信号発生器７６と場合と同様に組み合わせてもよい。
【図面の簡単な説明】
【図１】  図２に示すようなデータキャリヤからのデータの無接触受信用に配置された本発明の実施形態中の読み／書きステーションの本文脈における本質的な部分のブロック図である。
【図２】  図１に示す読み／書きステーションに対するデータの無接触出力用に配置された本発明による実施形態中でのデータキャリヤとこのデータキャリヤの回路とのこの文脈における本質的な部分のブロック図である。
【図３Ａ】  図２のデータキャリヤ中に第１の送信モードで発生する信号の波形である。
【図３Ｂ】  図２のデータキャリヤ中に第１の送信モードで発生する信号の波形である。
【図３Ｃ】  図２のデータキャリヤ中に第１の送信モードで発生する信号の波形である。
【図３Ｄ】  図２のデータキャリヤ中に第１の送信モードで発生する信号の波形である。
【図４Ａ】  図２のデータキャリヤ中に第２の送信モードで発生する信号の波形である。
【図４Ｂ】  図２のデータキャリヤ中に第２の送信モードで発生する信号の波形である。
【図４Ｃ】  図２のデータキャリヤ中に第２の送信モードで発生する信号の波形である。
【図４Ｄ】  図２のデータキャリヤ中に第２の送信モードで発生する信号の波形である。
【図５Ａ】  図２のデータキャリヤ中に第３の送信モードで発生する信号の波形である。
【図５Ｂ】  図２のデータキャリヤ中に第３の送信モードで発生する信号の波形である。
【図５Ｃ】  図２のデータキャリヤ中に第３の送信モードで発生する信号の波形である。
【図５Ｄ】  図２のデータキャリヤ中に第３の送信モードで発生する信号の波形である。
【符号の説明】
１  読み／書きステーション
２５  復調手段
Ｄ  データキャリヤ
ＤＡ  データ
ＣＳ  キャリヤ信号
ＳＣＳ１、ＳＣＳ２  補助キャリヤ信号
ＭＤＢ１、ＭＤＢ２、ＭＤＢ３  送信モードデータブロック
【図１】
0004322426.tif 000002
【図２】
0004322426.tif 000003
【図３Ａ】
0004322426.tif 000004
【図３Ｂ】
0004322426.tif 000005
【図３Ｃ】
0004322426.tif 000006
【図３Ｄ】
0004322426.tif 000007
【図４Ａ】
0004322426.tif 000008
【図４Ｂ】
0004322426.tif 000009
【図４Ｃ】
0004322426.tif 000010
【図４Ｄ】
0004322426.tif 000011
【図５Ａ】
0004322426.tif 000012
【図５Ｂ】
0004322426.tif 000013
【図５Ｃ】
0004322426.tif 000014
【図５Ｄ】
0004322426.tif 000015